(57)【要約】【課題】様々なタンパク質を固定化することができ、且つ、担体に対して強固に固定化する。【解決手段】タグ部を有する固定化対象のタンパク質に対して共有結合可能な反応基を有する固定化担体における当該反応基を活性化する第１工程と、上記第１工程の後、上記固定化担体に対して、上記固定化対象のタンパク質を含む溶液を作用させる第２工程とを含み、上記第２工程では、上記タグ部と上記固定化担体のタグ部結合部位との間の相互作用及び上記反応基とタンパク質との間の共有結合を介して、上記タンパク質を上記固定化担体に固定化する。【選択図】  なし【特許請求の範囲】
【請求項１】
タグ部を有する固定化対象のタンパク質に対して共有結合可能な反応基を有する固定化担体における当該反応基を活性化する第１工程と、
上記第１工程の後、上記固定化担体に対して、上記固定化対象のタンパク質を含む溶液を作用させる第２工程とを含み、
上記第２工程では、上記タグ部と上記固定化担体のタグ部結合部位との間の相互作用及び上記反応基と上記タンパク質との間の共有結合を介して、上記タンパク質を上記固定化担体に固定化することを特徴とするタンパク質の固定化方法。
【請求項２】
上記反応基はカルボキシル基であり、第２工程では、当該カルボキシル基と上記固定化対象のタンパク質におけるアミノ基と間でアミンカップリングさせることを特徴とする請求項１記載のタンパク質の固定化方法。
【請求項３】
上記タグ部はヒスチジンタグであり、上記第２工程では、当該ヒスチジンタグと固定化担体との間で相互作用させることを特徴とする請求項１記載のタンパク質の固定化方法。
【請求項４】
上記第２工程で、上記ヒスチジンタグと固定化担体との間で錯体を介して相互作用させることを特徴とする請求項３記載のタンパク質の固定化方法。
【請求項５】
上記第２工程で、上記ヒスチジンタグと固定化担体との間でＮｉ２＋−ｎｉｔｒｉｌｏｔｒｉａｃｅｔｉｃ  ａｃｉｄ（Ｎｉ−ＮＴＡ）を介して相互作用させることを特徴とする請求項４記載のタンパク質の固定化方法。
【請求項６】
上記第２工程で、当該ヒスチジンタグと固定化担体との間でＮｉ２＋−ｉｍｉｎｏｄｉａｃｅｔｉｃ  ａｃｉｄ（Ｎｉ−ＩＤＡ）を介して相互作用させることを特徴とする請求項４記載のタンパク質の固定化方法。
【請求項７】
上記第２工程で、固定化担体のタグ部結合部位はタグ部に対する抗体であることを特徴とする請求項１記載のタンパク質の固定化方法。
【請求項８】
上記タグ部はヒスチジンタグであり、上記抗体は抗ヒスチジンタグ抗体であり、第２工程では、当該ヒスチジンタグと固定化担体との間で抗ヒスチジンタグ抗体を介して相互作用させることを特徴とする請求項７記載のタンパク質の固定化方法。
【請求項９】
請求項１〜８いずれか一項記載のタンパク質の固定化方法により固定化したタンパク質を有する固定化担体に対して、検出対象の低分子化合物を含む試料を作用させる工程と、
上記固定化担体に固定化されたタンパク質と、上記試料に含まれる低分子化合物との親和性を検出する工程とを含むタンパク質−低分子化合物親和性検出方法。
【請求項１０】
上記親和性を検出する工程では、表面プラズモン共鳴の原理により上記タンパク質と上記低分子化合物との親和性を検出することを特徴とする請求項９記載のタンパク質−低分子化合物親和性検出方法。
【請求項１１】
請求項１〜８いずれか一項記載のタンパク質の固定化方法により固定化したタンパク質を有する固定化担体に対して、検出対象のタンパク質を含む試料を作用させる工程と、
上記固定化担体に固定化されたタンパク質と、上記試料に含まれるタンパク質との親和性を検出する工程とを含むタンパク質−タンパク質親和性検出方法。
【請求項１２】
上記親和性を検出する工程では、表面プラズモン共鳴の原理により上記タンパク質と上記タンパク質との親和性を検出することを特徴とする請求項１１記載のタンパク質−タンパク質親和性検出方法。
【請求項１３】
請求項１〜８いずれか一項記載のタンパク質の固定化方法により、タンパク質を固定化した固定化担体。
【請求項１４】
基板と、基板上に配設され、固定化対象のタンパク質と共有結合可能な反応基が導入された多糖分子鎖とを備え、上記タンパク質が上記反応基と共有結合するとともに、上記多糖分子鎖とキレートを介して相互作用していることを特徴とする請求項１３記載のタンパク質を固定化した固定化担体。
【発明の詳細な説明】
【０００１】
【発明の属する技術分野】
本発明は、例えば担体の表面上にタンパク質を固定化する際に広く利用できるタンパク質の固定化方法に関する。
【０００２】
【従来の技術】
タンパク質−医薬品間の相互作用、及び、タンパク質−タンパク質間の相互作用に関する情報は、新規の医薬品開発や既存医薬品の作用の強化、副作用の減弱化をおこなう上で非常に有用な情報であり、さまざまな方法により解析されている。近年特にラジオアイソトープを用いず表面プラズモン共鳴（Ｓｕｒｆａｃｅ  Ｐｌａｓｍｏｎ  Ｒｅｓｏｎａｎｓｅ：ＳＰＲ）の原理を応用したリアルタイムでの相互作用解析を行う装置、例えば、Ｂｉａｃｏｒｅ  ３０００（ビアコア社製）等が用いられるようになった。
【０００３】
このＳＰＲの原理を用いた相互作用解析では、相互作用解析を行うタンパク質−タンパク質間における一方を、或いは、タンパク質−医薬品間における一方をセンサーチップ上に固定化し、その後、他方のタンパク質或いは医薬品をセンサーチップ上に作用させ、タンパク質−タンパク質相互作用或いはタンパク質−医薬品相互作用に起因する質量変化をＳＰＲシグナルとして検出する。
【０００４】
医薬品等の低分子化合物を固定化する場合、低分子化合物分子内の適当な部分に固定化のための修飾を行う必要があり、この修飾がタンパク質との結合に悪影響を与えないように慎重に修飾する部分を選択する必要がある。また、修飾部分の分子構造が相互作用解析に適する長さとなるように種々の長さの修飾分子を合成し検討することになる。
【０００５】
一方、タンパク質を固定化する場合には
Ａ）センサーチップとタンパク質を共有結合によってある程度強固にカップリングすることで固定化を行う方法
Ｂ）センサーチップとタンパク質の親和性を利用してマイルドにセンサーチップ上に結合させる方法、に大別される。
【０００６】
（Ａ）の方法としては、１）タンパク質のアミノ基とセンサーチップ上のカルボキシル基とをカップリングさせる方法（アミンカップリング法）、２）タンパク質のカルボキシル基をＰＤＥＡなどで修飾し、一方でセンサーチップ上のカルボキシル基をチオール化（−ＳＨ）して両者をＳ−Ｓ結合を介してカップリングさせる方法（表面チオールカップリング法）、３）センサーチップにＰＤＥＡ等の修飾を行いタンパク質の遊離の−ＳＨ基と−Ｓ−Ｓ−結合を形成させてカップリングさせる方法（リガンドチオールカップリング法）などが知られている。
【０００７】
（Ｂ）の方法としては、１）タンパク質にＨｉｓ−ｔａｇを導入し、それをＮＴＡ（ｎｉｔｒｉｌｏｔｒｉａｃｅｔｉｃ  ａｃｉｄ）を固層化したセンサーチップにＮｉ２＋を介して結合させる方法、２）各種抗体をセンサーチップに固定化してその抗原を固定化する方法等が知られている。
【０００８】
（Ａ）の方法では、固定化によってタンパク質の任意のアミノ基もしくはカルボキシル基が修飾されることになるが多くのケースで良好な結合活性を保持している。
また、（Ｂ）の方法では、Ｈｉｓ−ｔａｇ、抗原ペプチド等の親和性部位をタンパク質の遺伝子の一部に組替えＤＮＡ法を用いて加える必要があるが、固定化の際にはタンパク質に修飾を加えないで行うことが出来る。
【０００９】
この様にタンパク質の固定は、一般に低分子化合物の固定化よりも容易に実施することができる。そのため多くの研究において、タンパク質をセンサーチップに固定化して相互作用解析を行っている。
【００１０】
しかしながら、Ａ）の方法ではタンパク質の固定化の際に、アミンカップリング法、表面チオールカップリング法等いずれの方法においても、センサーチップ上にタンパク質を濃縮する必要があり、この濃縮（プレコンセントレーション）なしでは一般にほとんどタンパク質を固定化することは出来ない。プレコンセントレーションは、カップリングの際にタンパク質を、その等電点（ｐＩ）よりも若干低いｐＨで、且つイオン強度の弱い緩衝液（１０ｍＭ程度の酢酸ナトリウム緩衝液など）に溶解もしくは希釈することで行うことが出来る。つまり、タンパク質のｐＩ以下のｐＨの緩衝液中ではタンパク質は総電化で＋荷電になる性質があり、同時にセンサーチップ上のカルボキシル基はアルカリ側からｐＨ３．５程度の酸性域まで−荷電を持つことから静電的な力によってタンパク質がセンサーチップ上に濃縮される。このプレコンセントレーション効果によって生理的な濃度のタンパク質を用いているにもかかわらずセンサーチップ上に高濃度のタンパク質を濃縮することができ、結果として高い固定化量を実現することが出来る。
【００１１】
さらに、タンパク質は共有結合により強固にセンサーチップに固定化されるため、一旦固定化されたタンパク質は以後安定してセンサーチップに結合し、繰り返し相互作用解析をおこなうことも可能である。
【００１２】
しかしながら、このプレコンセントレーション効果を得るためには一旦タンパク質を低いｐＨ条件で、またイオン強度も生理的な条件から乖離した低い緩衝液にさらす必要があり、なおかつ多くの酸性タンパク質はｐＨ４．０程度でも総電化として＋荷電をもたないためプレコンセントレーション効果を得ることができず、結果としてタンパク質を固定化することが出来ない。
【００１３】
表面チオールカップリング法では、タンパク質のカルボキシル基にＰＤＥＡ等の修飾を行うため、タンパク質の−荷電数を減少させ、よってｐＩを上昇させてプレコンセントレーション効果を得る方法である。そのため、幾つかの酸性タンパク質でも表面チオールカップリング法によって良好な結果をえているが、この方法ではタンパク質をＰＤＥＡ等で修飾する必要があり、その後精製操作が必要である。そのため、タンパク質の必要量が１００μｇ程度とアミンカップリング法の１μｇ程度にくらべ１００倍も多くのタンパク質が必要となる。さらに、表面チオールカップリング法ではカップリングが−Ｓ−Ｓ−結合によってなされるため、固定化したタンパク質の洗浄、及び、相互作用解析時の再生操作にアルカリ溶液を使用することが出来ないため、アルカリ溶液で再生する必要があるタンパク質に関してはセンサーチップへの固定化は可能であるが実際相互作用解析を行うことはできない。
【００１４】
一方、（Ｂ）の方法では、組換えＤＮＡ法によってＨｉｓ−ｔａｇをタンパク質に組み入れてあるＨｉｓ−ｔａｇタンパク質を固定化する際に用いる緩衝液は、生理的な条件の緩衝液（ＰＢＳなど）を用いることができる。しかしながら、タンパク質とＮＴＡとの結合の親和性は、一般に低く、一旦センサーチップにＮｉ２＋を介して固定化されたタンパク質はその後徐々にセンサーチップから解離してしまう。さらに、Ｈｉｓ−ｔａｇタンパク質とＮＴＡ  センサーチップの結合は、高塩濃度、低塩濃度、酸性ｐＨ条件、及びアルカリｐＨ条件でさらに不安定となり、センサーチップの洗浄や再生操作が必要な相互作用解析を行うことが出来ない。
【００１５】
【発明が解決しようとする課題】
上述したように、アミンカップリングを用いる場合には、酸性タンパク質が固定化できないというような、固定化できるタンパク質が限られるといった問題があった。また、表面チオールカップリング法を用いる場合には、酸性タンパク質の多くを固定化できると考えられるが、多量のタンパク質が必要でありアルカリ性の洗浄・再生操作を行うことができないといった問題があった。さらに、Ｈｉｓ−ｔａｇを用いる場合には、センサーチップへの固定化では広範囲のＨｉｓ−ｔａｇタンパク質が固定化できるが、その結合は安定せず徐々に解離してしまうといった問題、また、一般に相互作用解析時に固定化したタンパク質の洗浄・再生操作が必要なタンパク質では解析を行うことができないという問題があった。
【００１６】
そこで、本発明は、このような実状に鑑みて、様々なタンパク質を固定化することができ、且つ、担体に対して強固に固定化できるタンパク質の固定化方法を提供することを目的とする。
【００１７】
【課題を解決するための手段】
上述した目的を達成するため、本発明者が鋭意検討した結果、担体にタンパク質を固定化する際に、固定化担体側の反応基を活性化させた後に、タグ部を有するタンパク質を作用させることで、タンパク質のタグ部と固定化担体とを相互作用させるとともにタンパク質と固定化担体とを共有結合させることができ、様々なタンパク質を強固に固定化できることを見出し、本発明を完成するに至った。
【００１８】
本発明は以下を包含する。
（１）タグ部を有する固定化対象のタンパク質に対して共有結合可能な反応基を有する固定化担体における当該反応基を活性化する第１工程と、
上記第１工程の後、上記固定化担体に対して、上記固定化対象のタンパク質を含む溶液を作用させる第２工程とを含み、
上記第２工程では、上記タグ部と上記固定化担体のタグ部結合部位との間の相互作用及び上記反応基と上記タンパク質との間の共有結合を介して、上記タンパク質を上記固定化担体に固定化することを特徴とするタンパク質の固定化方法。
【００１９】
（２）上記反応基はカルボキシル基であり、第２工程では、当該カルボキシル基と上記固定化対象のタンパク質におけるアミノ基と間でアミンカップリングさせることを特徴とする（１）記載のタンパク質の固定化方法。
【００２０】
（３）上記タグ部はヒスチジンタグであり、上記第２工程では、当該ヒスチジンタグと固定化担体との間で相互作用させることを特徴とする（１）記載のタンパク質の固定化方法。
（４）上記第２工程で、上記ヒスチジンタグと固定化担体との間で錯体を介して相互作用させることを特徴とする（３）記載のタンパク質の固定化方法。
【００２１】
（５）上記第２工程で、上記ヒスチジンタグと固定化担体との間でＮｉ２＋−ｎｉｔｒｉｌｏｔｒｉａｃｅｔｉｃ  ａｃｉｄ（Ｎｉ−ＮＴＡ）を介して相互作用させることを特徴とする（４）記載のタンパク質の固定化方法。
【００２２】
（６）上記第２工程で、当該ヒスチジンタグと固定化担体との間でＮｉ２＋−ｉｍｉｎｏｄｉａｃｅｔｉｃ  ａｃｉｄ（Ｎｉ−ＩＤＡ）を介して相互作用させることを特徴とする（４）記載のタンパク質の固定化方法。
（７）上記第２工程で、固定化担体のタグ部結合部位はタグ部に対する抗体であることを特徴とする（１）記載のタンパク質の固定化方法。
【００２３】
（８）上記タグ部はヒスチジンタグであり、上記抗体は抗ヒスチジンタグ抗体であり、第２工程では、当該ヒスチジンタグと固定化担体との間で抗ヒスチジンタグ抗体を介して相互作用させることを特徴とする（７）記載のタンパク質の固定化方法。
【００２４】
（９）（１）〜（８）いずれか一項記載のタンパク質の固定化方法により固定化したタンパク質を有する固定化担体に対して、検出対象の低分子化合物を含む試料を作用させる工程と、
上記固定化担体に固定化されたタンパク質と、上記試料に含まれる低分子化合物との親和性を検出する工程とを含むタンパク質−低分子化合物親和性検出方法。
【００２５】
（１０）上記親和性を検出する工程では、表面プラズモン共鳴の原理により上記タンパク質と上記低分子化合物との親和性を検出することを特徴とする（９）記載のタンパク質−低分子化合物親和性検出方法。
【００２６】
（１１）（１）〜（８）いずれか一項記載のタンパク質の固定化方法により固定化したタンパク質を有する固定化担体に対して、検出対象のタンパク質を含む試料を作用させる工程と、
上記固定化担体に固定化されたタンパク質と、上記試料に含まれるタンパク質との親和性を検出する工程とを含むタンパク質−タンパク質親和性検出方法。
【００２７】
（１２）上記親和性を検出する工程では、表面プラズモン共鳴の原理により上記タンパク質と上記タンパク質との親和性を検出することを特徴とする（１１）記載のタンパク質−タンパク質親和性検出方法。
（１３）（１）〜（８）いずれか一項記載のタンパク質の固定化方法により、タンパク質を固定化した固定化担体。
【００２８】
（１４）基板と、基板上に配設され、固定化対象のタンパク質と共有結合可能な反応基が導入された多糖分子鎖とを備え、上記タンパク質が上記反応基と共有結合するとともに、上記多糖分子鎖とキレートを介して相互作用していることを特徴とする（１３）記載のタンパク質を固定化した固定化担体。
【００２９】
【発明の実施の形態】
以下、本発明を詳細に説明する。
本発明に係るタンパク質の固定化方法は、固定化担体に対してタンパク質を固定化する際に適用することができ、特定の技術範囲に限定して適用するものではない。例えば、本発明に係るタンパク質の固定化方法は、表面プラズモン共鳴（Ｓｕｒｆａｃｅ  Ｐｌａｓｍｏｎ  Ｒｅｓｏｎａｎｓｅ：ＳＰＲ）の原理を利用した解析に用いるタンパク質を固定化したセンサーチップを作製する際にも適用できるし、ＳＰＲの原理以外の原理を利用するセンサーチップを作製する際にも適用できる。例えば、ＳＰＲの原理以外の原理としては、水晶振動子マイクロバランス（Ｑｕａｒｔｚ−ｃｒｙｓｔａｌ  ｍｉｃｒｏｂａｌａｎｃｅ：ＱＣＭ）の原理を挙げることができる。
【００３０】
さらに、本発明に係るタンパク質の固定化方法は、ＳＰＲの原理やＱＣＭの原理を利用したセンサーチップを作製する際に限定されず、例えば、いわゆるプロテインチップ（プロテインアレイ）やアフィニティービーズ（アフィニティーカラム）を作製する際にも適用することができる。
【００３１】
以下では、ＳＰＲの原理を利用した解析に用いるセンサーチップを例示して説明する。このセンサーチップは図１に示すように、透過性を有する基板１と、基板１の一主面上に配設された金属膜２と、金属膜２上に配設された固定化担体３とを備えている。固定化担体３は、カルボキシル基等の反応基を有する自己組織化単分子膜（ＳＡＭ）、或いは、ＳＡＭ及びカルボキシメチルデキストランを、金属膜２上に固定化したものである。
【００３２】
固定化担体３は、固定化対象のタンパク質を共有結合する反応基を有している。固定化担体３の反応基とは、固定化対象のタンパク質との間で共有結合を形成する官能基を意味する。反応基としては、例えば、カルボキシル基及びチオール基を挙げることができる。また、固定化担体３は、固定化対象のタンパク質におけるタグ部と結合するタグ部結合部位を有している。タグ部結合部位は、上述するタグ部に応じて適宜選択されるが、例えば、ヒスチジン−タグを有するタンパク質に対してはｎｉｔｒｉｌｏｔｒｉａｃｅｔｉｃ  ａｃｉｄ（ＮＴＡ）、グルタチオンＳトランスフェラーゼ−タグを有するタンパク質に対してはグルタチオン、マルトース結合タンパク質−タグを有するタンパク質に対してはマルトースを挙げることができる。また、抗原ペプチドをタグ部として有するタンパク質に対しては、タグ部結合部位として当該抗原ペプチドと抗原抗体反応する抗体をタグ部結合部位として使用することができる。
【００３３】
また、本発明に係るタンパク質の固定化方法において、固定化対象としては、タグ部を有するタンパク質であれば特に限定されず、如何なるタンパク質も適用することができる。ここで、タグ部とは、固定化担体３側のタグ結合部位と相互作用して、タンパク質と固定化担体３との結合に寄与する部位である。タグ部としては、例えば、ヒスチジン−タグ（以下、Ｈｉｓ−タグと呼ぶ）、グルタチオンＳトランスフェラーゼ−タグ（以下、ＧＳＴ−タグと呼ぶ）、マルトース結合タンパク質−タグ（以下、ＭＢＰ−タグと呼ぶ）、抗原ペプチド−タグ等を挙げることができる。抗原ペプチド−タグとは、抗体が存在するペプチドをタグとするものであり、例えば、Ｈｉｓ−タグ、Ｈｉｓ  Ｇ−タグ、ＨＡ−タグ、Ｃ−ｍｙｃ−タグ、ｍｙｃ−タグ、ＢＰＶ−１−タグ、ｃｌ−タグ、Ｃｒｅ  ｒｅｃｏｍｂｉｎａｓｅ−タグ、ＦＬＡＧ−タグ、ＮＳ１（８１）−タグ、ｇｒｅｅｎ  ｆｌｕｏｒｅｓｃｅｎｔ  ｐｒｏｔｅｉｎ（ＧＦＰ）−タグ、ＩＲＳ−タグ、ＬｅｘＡ−タグ、Ｔｈｉｏｒｅｄｏｘｉｎ−タグ、Ｐｏｌｙｏｍａ  ｖｉｒｕｓ  ｍｅｄｉｕｍ  Ｔ  ａｎｔｉｇｅｎ  ｅｐｉｔｏｐｅ−タグ、ＳＶ４０  Ｌａｒｇｅ  Ｔ  Ａｎｔｉｇｅｎ−タグ、Ｐａｒａｍｏｘｙｖｉｒｕｓ  ＳＶ５−タグ、Ｘｐｒｅｓｓ−タグ、ＧＳＴ−タグ、ＭＢＰ−タグ等を挙げることができる。
【００３４】
タンパク質としては、何ら限定されず、如何なる特性、性質のタンパク質をも適用することができる。特に、タンパク質としては、塩基性タンパク質であっても酸性タンパク質であってもよく、また、疎水性タンパク質であっても親水性タンパク質であっても良い。
【００３５】
タグ部を有するタンパク質は、例えば、タグ部をコードする遺伝子と、タンパク質をコードする遺伝子とをフレームが一致した状態で有する発現ベクターを用いて形質転換し、形質転換細胞中でタグ部とタンパク質との融合タンパク質として発現させ、当該融合タンパク質を回収することで調製できる。
【００３６】
本発明に係るタンパク質の固定化方法では、先ず、固定化担体３の反応基を活性化させる。活性化とは、反応基を、当該反応基の近傍に存在する固定化対象のタンパク質に対して共有結合を形成しうる状態に遷移させることを意味する、反応基としてカルボキシル基を有する固定化担体３に対しては、例えば、Ｎ−ｅｔｈｙｌ−Ｎ’−（ｄｉｍｅｔｈｙｌａｍｉｎｏｐｒｏｐｙｌ）ｃａｒｂｏｄｉｉｍｉｄｅ（ＥＤＣ）とＮ−ｈｙｄｒｏｘｙｓｕｃｃｉｎｉｍｉｄｅ（ＮＨＳ）の混合液を作用させることによって、カルボキシル基を活性化することができる。
【００３７】
次に、本発明に係るタンパク質の固定化方法では、固定化担体３に対して固定化対象のタンパク質を作用させ、当該固定化対象のタンパク質が有するタグ部と固定化担体３とを相互作用させる。ここで相互作用とは、タグ部とタグ部結合部位とが結合し、当該タンパク質と固定化担体３とが比較的緩やかに結合することを意味する。例えば、タグ部としてＨｉｓ−タグを有するタンパク質の場合、固定化担体３に導入されたＮＴＡにニッケル等の金属をトラップさせ、ニッケルを介してＨｉｓ−タグとＮＴＡとが錯体を形成する。ニッケルをＮＴＡにトラップさせるのは固定化担体３の活性化の前後どちらでもかまわない。これにより、Ｈｉｓ−タグを有するタンパク質とＮＴＡを導入した固定化担体３とを相互作用させることができる。
【００３８】
また、タグ部としてＧＳＴ−タグを有するタンパク質の場合、グルタチオンが導入された固定化担体３と当該タンパク質とを、生理的条件のリン酸緩衝液（たとえばＰＢＳ）や生理的条件のＨｅｐｅｓ緩衝液（たとえばＨＢＳ）中に共存させることで相互作用させることができる。さらに、抗原ペプチドを有するタンパク質及び抗体を導入した固定化担体３を用いる場合も、同様に、生理的条件のリン酸緩衝液（たとえばＰＢＳ）や生理的条件のＨｅｐｅｓ緩衝液（たとえばＨＢＳ）中に共存させることで相互作用させることができる。
【００３９】
本発明に係るタンパク質の固定化方法では、上述したように、固定化対象のタンパク質が有するタグ部と固定化担体３とを相互作用させているため、固定化対象のタンパク質は、固定化担体３の近傍に比較的高濃度に存在する。このため、活性化した反応基とタンパク質との間に共有結合が形成しやすい状態となり、活性化した反応基とタンパク質との間に容易に共有結合が形成される。
【００４０】
例えば、反応基がカルボキシル基である場合、固定化対象のタンパク質に存在するアミノ基と反応基との間で共有結合を形成、すなわちアミンカップリングを形成する。また、反応基がカルボキシル基である場合、カルボキシル基をＰＤＥＡ化することにより、固定化対象のタンパク質に存在する遊離のチオール基と反応基との共有結合を形成、すなわちリガンドチオールカップリングを形成する。さらに、固定化対象のタンパク質がカルボキシル基を有する場合、予め当該タンパク質をＰＤＥＡ  （２−（２−ｐｙｒｉｄｉｎｙｌｄｉｔｈｉｏ）  ｅｔｈａｎｅａｍｉｎｅ  ｈｙｄｒｏｃｈｌｏｒｉｄｅ）と反応させてカルボキシル基をＰＤＥＡ化する。また、固定化担体３のカルボキシル基を活性化させた後に、当該カルボキシル基をｃｙｓｔａｍｉｎｅ  ｄｉｈｙｄｒｏｃｈｌｏｒｉｄｅと反応させ、その後ｄｉｔｈｉｏｔｈｒｅｉｔｏｌ（ＤＴＴ）で還元することによりチオール基に変換する。そして、ＰＤＥＡ化したカルボキシル基と、固定化担体３側のチオール基の間で共有結合（ジスルフィド結合）を形成する。すなわち、サーフェスチオールカップリングを形成する。
【００４１】
このように、タグ部とタグ結合部位との間の相互作用及び反応基とタンパク質との間の共有結合を形成することによって、固定化対象のタンパク質を固定化担体に固定化することができる。本発明に係るタンパク質の固定化方法によれば、タグ部とタグ部結合部位とを相互作用させるためにタンパク質を固定化担体３の近傍に比較的高濃度に存在させることができる。このため、本発明に係るタンパク質の固定化方法によれば、従来の方法においては固定化担体３の近傍に高濃度に存在させ難いタンパク質を固定化対象とする場合でも、タンパク質を固定化担体３に共有結合させることができる。
【００４２】
本発明に係るタンパク質の固定化方法を適用して作製されたセンサーチップは、固定化したタンパク質に親和性を有するようなアナライトと検出するようなシステムに用いることができる。例えば、ＳＰＲの原理を利用した解析装置では、図２に示すように、基板１における固定化担体３を配設した主面と反対の主面に配設したプリズム４と、プリズム４を介してセンサーチップに偏光５を入射する光源６と、プリズム４を介して入射した偏光５が金属膜２で反射した反射光７が入射する検出部８と、タンパク質を固定化した固定化担体３に接するフローセル９とを備える。
【００４３】
ＳＰＲの原理によれば、光源６から金薄膜２に偏光５を全反射するように当てると、反射光７の一部に、反射光強度が低下した部分が観察される。この光の暗い部分の現れる角度（＝屈折率の変化）は、センサーチップ上での質量に依存する。固定化担体３に固定化されたタンパク質にアナライトが結合すると、質量変化（＝質量増）が生じ、光の暗い部分がＩからＩＩにシフトする（図２）。１ｍｍ２あたり１ｎｇの物質が結合するとＩ→ＩＩに０．１度シフトすることが知られている。逆に、解離により質量が減少すれば、ＩＩ→Ｉにその分だけ戻る。
【００４４】
したがって、図２に示した解析装置によれば、試料を含む溶液をフローセル９内に流入し、反射光７における暗い部分がＩからＩＩにシフトする量を検出部８で検出する。この解析装置では、検出の結果として、センサーチップ表面での質量変化を縦軸にとり、質量の時間変化を測定データとして表示する（センサーグラム）。縦軸の単位は、Ｒｅｓｏｎａｎｃｅ  Ｕｎｉｔ（＝ＲＵ：レゾナンスユニット）で表され、１ＲＵ＝１ｐｇ／ｍｍ２に相当する。この屈折率変化の割合は、すべての生体分子（タンパク質・核酸・脂質）で実質的に同じであり、生体分子を標識することなく、相互作用をリアルタイムでみることができる。
【００４５】
このようなＳＰＲの原理を利用した解析装置を用いれば、特に、タンパク質と低分子化合物の相互作用解析を行うことができ、なかでも新規創薬ターゲットおよび新規医薬品候補化合物を効率的に行うことができる。特に、本発明に係るタンパク質の固定化方法を適用して作製したセンサーチップでは、タンパク質の種類に限定されずに如何なるタンパク質も固定化できると同時に、タンパク質を長期間にわたって強固に固定化することができるため、多種類のタンパク質を用いた新規創薬ターゲットあるいは新規医薬品候補化合物のスクリーニングが可能となる。
【００４６】
【実施例】
以下、実施例により本発明をさらに詳細に説明するが、本発明はこれらの実施例になんら限定されるものではない。
【００４７】
［比較例１］
比較例１として、センサーチップに対して、共有結合（アミンカップリング）を介してタンパク質を固定化する方法を説明する。
アミンカップリング法では、タンパク質の種類毎にプレコンセントレーションに適したｐＨの緩衝液を見つける必要がある。これは、ｐＨ５．５、ｐＨ５．０、ｐＨ４．５、及び、ｐＨ４．０の１０ｍＭ程度の酢酸ナトリウム緩衝液で、タンパク質を２０μｇ／ｍＬ程度に希釈した複数の溶液を調製し、センサーチップに各溶液を作用させることで、センサーチップに対するタンパク質の静電的吸着を引き起こし、静電的吸着を測定することで確認する。
【００４８】
本例では、センサーチップとして固定化担体にカルボキシメチル基が導入されたＣＭ５センサーチップ（ビアコア社製）を用い、タンパク質としてヒト血清アルブミン（ＨＳＡ）を用い、測定装置としてＳＰＲの原理を利用したＢｉａｃｏｒｅ  ３０００（ビアコア社製）を用いた。
【００４９】
操作は、先ず、ＣＭ５センサーチップをＢｉａｃｏｒｅ３０００にセットしてランニング緩衝液（ＨＢＳ−ＥＰなど）でシステムを満たし、そこに上記の各ｐＨの酢酸ナトリウム緩衝液で希釈したタンパク質溶液を流速１０μＬ／分程度で吸着が定常状態に達するまで１分から５分程度インジェクションした。この操作において、レスポンス（ＲＵ）を測定した。ＲＵ値を測定した結果を示すセンサーグラムを図３に示す。
【００５０】
そして、各ｐＨの酢酸ナトリウム緩衝液で希釈したタンパク質溶液のうちで、ＲＵ値が上昇したものをプレコンセントレーションに適した緩衝液であるとして選んだ。具体的には、図３に示したように、プレコンセントレーションの速さと定常状態の結合量の多さから、ｐＨ５．０の１０ｍＭ酢酸ナトリウム緩衝液がプレコンセントレーションに適した緩衝液であると判断した。
【００５１】
以上の検討から、比較例１では、ｐＨ５．０の１０ｍＭ酢酸ナトリウム緩衝液でＨＳＡを希釈してアミンカップリング法でＨＳＡの固定化を以下のように行った。先ず、Ｂｉａｃｏｒｅ３０００にＣＭ５センサーチップをセットしてランニング緩衝液（ＨＢＳ−ＥＰなど）でシステムを満たした。次に、システムに０．２  Ｍ  Ｎ−ｅｔｈｙｌ−Ｎ’−（ｄｉｍｅｔｈｙｌａｍｉｎｏｐｒｏｐｙｌ）ｃａｒｂｏｄｉｉｍｉｄｅ（ＥＤＣ）と０．０５  Ｍ  Ｎ−ｈｙｄｒｏｘｙｓｕｃｃｉｎｉｍｉｄｅ（ＮＨＳ）の混合液を流速２０μＬ／分で８分間処理した。これにより、ＣＭ５センサーチップ上のカルボキシル基を活性化（活性中間体を形成する）した。次に、システムに１０ｍＭ  酢酸ナトリウム緩衝液（ｐＨ５．０）で２０μｇ／ｍＬに希釈したＨＳＡを７分間  加えた。これにより、活性化中間体とＨＳＡのアミノ基とが共有結合を形成し、ＨＳＡをＣＭ５センサーチップ上に固定化した。
【００５２】
次に、システムに対して、１Ｍエタノールアミンを流速１０μＬ／分、７分間処理した。これにより、反応せずに残った活性中間体とエタノールアミンを反応させた。次に、システムに対して５０ｍＭ程度の水酸化ナトリウムを２０μＬ／分、１分間処理して洗浄し、共有結合せずにＣＭ５センサーチップ上に残った微量のＨＳＡを除去した。
【００５３】
以上の操作により固定化されたＨＳＡの量は、固定化終了時のレスポンスから固定化開始時のレスポンスを差し引くことで計算され、４９４４．９ＲＵが安定に固定化された。以上の操作におけるセンサーグラムを図４に示す。
【００５４】
［比較例２］
比較例２では、固定化対象のタンパク質として酸性タンパク質を使用した以外は、比較例１と同様にして行った例である。具体的には、酸性タンパク質としてヒトトリプシンを用いた。
【００５５】
本例では、ヒトトリプシンにおけるプレコンセントレーションに適したｐＨの緩衝液を見つける必要がある。これを比較例１と同様に検証するため、ｐＨ５．５、ｐＨ５．０、ｐＨ４．５、及び、ｐＨ４．０の１０ｍＭ程度の酢酸ナトリウム緩衝液で、ヒトトリプシンを２０μｇ／ｍＬ程度に希釈した複数の溶液を調製した。
【００５６】
このように調製した複数の溶液を用いて、比較例１と同様にして、レスポンス（ＲＵ）を測定した。しかしながら、ｐＨ４．０の酢酸ナトリウム緩衝液で希釈した溶液であっても、プレコンセントレーションしなかった。また、ｐＨ４．０以下の酢酸ナトリウム緩衝液で希釈した溶液を用いることで、かろうじてプレコンセントレーションしたとしても、その後のアミンカップリング反応に際して、上記溶液のｐＨがアミンカップリング反応の至適ｐＨ（ｐＨ８程度）から解離した条件となる。この場合、酸性タンパク質は固定化されない。
【００５７】
具体的に、本例の場合、ｐＨ４．０の１０ｍＭ程度の酢酸ナトリウム緩衝液希釈した溶液でもプレコンセントレーションは、３０秒間で２０ＲＵ程度であり固定化は全く不可能であった。
【００５８】
［比較例３］
比較例３として、センサーチップに対して、タンパク質のタグ部（Ｈｉｓ−タグ）を介して当該タンパク質を固定化する方法を説明する。
【００５９】
本例では、タンパク質として、Ｎ末端にＨｉｓ−タグを付加したＣＯＸ−２を用い、センサーチップとして固定化担体にｎｉｔｒｉｌｏｔｒｉａｃｅｔｉｃ  ａｃｉｄを導入したＮＴＡセンサーチップ（ビアコア社製）を用い、測定装置としてＢｉａｃｏｒｅ３０００（ビアコア社製）を用いた。
【００６０】
操作は、先ず、ＮＴＡセンサーチップをＢｉａｃｏｒｅ３０００にセットし、ランニング緩衝液（０．００５％サーファクタントＰ２０，ＰＢＳなど）でシステムを満たす。次に、システムに、０．５Ｍ  ＮｉＣｌ２を流速２０μＬ／分で１分間インジェクションした。これにより、ＮＴＡセンサーチップ上のＮＴＡにＮｉ２＋をトラップさせた。次に、Ｎ末端Ｈｉｓ−タグＣＯＸ−２を含む溶液を流速１０μＬ／分で２０分間インジェクションした。これにより、ＮＴＡセンサーチップ上に、Ｈｉｓ−タグを介してＣＯＸ−２を固定化することができた。すなわち、Ｎ末端Ｈｉｓ−タグＣＯＸ−２は、Ｎｉ２＋を結合させた状態のＮＴＡと安定な錯体を形成することで、ＮＴＡセンサーチップ上に固定化された。
なお、Ｎ末端Ｈｉｓ−タグＣＯＸ−２を含む溶液は、上記ランニング緩衝液で１００ｎＭ程度に希釈することで調製した。
【００６１】
以上の操作におけるセンサーグラムを図５に示す。図５から判るように、Ｎ末端Ｈｉｓ−タグＣＯＸ−２は、一旦１０，８６６  ＲＵ固定化された。しかしながら、Ｎ末端Ｈｉｓ−タグＣＯＸ−２の固定化は不安定であり、その後、ランニング緩衝液を流しつづけるだけで固定化されたＮ末端Ｈｉｓ−タグＣＯＸ−２は少しずつチップから剥がれていった。
【００６２】
［比較例４］
比較例４では、固定化対象のタンパク質として、Ｎ末端にＨｉｓ−タグを付加したＦＫ５０６結合タンパク質（Ｎ末端Ｈｉｓ−タグＦＫＢＰ）を使用した以外は、比較例３と同様にして行った例である。なお、Ｎ末端Ｈｉｓ−タグＦＫＢＰを含む溶液は、Ｎ末端Ｈｉｓ−タグＦＫＢＰを発現させた大腸菌を超音波処理等で破砕した溶菌液をランニング緩衝液で１００倍に希釈して調製した。
【００６３】
操作は、Ｎ末端Ｈｉｓ−タグＦＫＢＰを固定化するに際して、Ｎ末端Ｈｉｓ−タグＦＫＢＰを含む溶液を流速１０μＬ／分で５分間インジェクションした以外は比較例３と同様に行った。以上の操作におけるセンサーグラムを図６に示す。
【００６４】
図６から判るように、一旦、Ｎ末端ＨｉｓタグＦＫＢＰが５０６１．７ＲＵ固定化されたが、固定化は不安定であり、その後緩衝液を流しつづけるだけで固定化されたＮ末端ＨｉｓタグＦＫＢＰは急速にＮＴＡセンサーチップから剥がれ、２０分間後には１７６６．２ＲＵまでに減少してしまった。
【００６５】
［比較例５］
比較例５では、比較例３で作製したＮＴＡセンサーチップに対して低分子化合物を作用させたときのＮ末端Ｈｉｓ−タグＣＯＸ−２と化合物との相互作用を解析した。低分子化合物としては、ＣＯＸ−２に対する選択的阻害剤として知られているＮＳ３９８を用いた。
【００６６】
操作は、先ず、比較例３のＮＴＡセンサーチップをセットしたＢｉａｃｏｒｅ３０００のシステムに、ランニング緩衝液（５％ＤＭＳＯ，  ０．００５％サーファクタントＰ２０，ＰＢＳなど）を満たす。この状態で、ＮＳ３９８を１ｘ１０−８Ｍから徐々に濃度を上昇させながらインジェクション（流速１０μＬ／分で１分間）を繰り返した。各濃度でＮＳ３９８をインジェクションした際のセンサーグラムを重ね合わせた結果を図７に示す。図７においては、各濃度におけるインジェクション開始時（０時）のレスポンスを０として重ね合わせた。
【００６７】
低濃度のＮＳ−３９８から連続して順次高濃度のＮＳ−３９８をインジェクションしたところ、１ｘ１０−５Ｍ以上の濃度で、ＮＴＡセンサーチップに固定化されたＮ末端Ｈｉｓ−タグＣＯＸ−２とＮＳ−３９８との結合が見られた。この結合は、ＮＳ−３９８存在下で観察され、インジェクションの終了によって速やかに解離していた。しかしながら、図７に示したように、各濃度におけるインジェクションの結果は、ベースラインの減少のため、重ねることが出来ず、親和性の解析を行うことは困難であった。
【００６８】
［比較例６］
比較例６では、比較例４で作製したＮＴＡセンサーチップに対して低分子化合物を作用させたときのＮ末端Ｈｉｓ−タグＦＫＢＰと化合物との相互作用を解析した。低分子化合物としては、ＦＫＢＰに結合することが知られているＦＫ５０６を用いた。
【００６９】
操作は、先ず、比較例４のＮＴＡセンサーチップをセットしたＢｉａｃｏｒｅ３０００のシステムに、ランニング緩衝液（５％ＤＭＳＯ，  ０．００５％サーファクタントＰ２０，ＰＢＳなど）を満たす。この状態で、ＦＫ５０６を１ｘ１０−８Ｍから徐々に濃度を上昇させながらインジェクション（流速１０μＬ／分で１分間）を繰り返した。各濃度でＦＫ５０６をインジェクションした際のセンサーグラムを重ね合わせた結果を図８に示す。図８においては、各濃度におけるインジェクション開始時（０時）のレスポンスを０として重ね合わせた。
しかしながら、図８に示した結果から、ＮＴＡセンサーチップに固定化したＮ末端Ｈｉｓ−タグＦＫＢＰとＦＫ５０６との結合はほとんど見られなかった。
【００７０】
［実施例１］
実施例１では、本発明を適用して、センサーチップに対して、共有結合（アミンカップリング）及びタグ部を介してタンパク質を固定化する方法を説明する。本例では、タンパク質として、Ｎ末端にＨｉｓ−タグを付加したＦＫＢＰを用い、センサーチップとして固定化担体にｎｉｔｒｉｌｏｔｒｉａｃｅｔｉｃ  ａｃｉｄを導入したＮＴＡセンサーチップ（ビアコア社製）を用い、測定装置としてＢｉａｃｏｒｅ３０００（ビアコア社製）を用いた。
【００７１】
まず、ＮＴＡセンサーチップをＢｉａｃｏｒｅ３０００にセットし、ランニング緩衝液（０．００５％Ｐ２０，  ＰＢＳ  ｐＨ７．４など）でシステムを満たした。次に、システムに対して、０．２  Ｍ  Ｎ−ｅｔｈｙｌ−Ｎ’−（ｄｉｍｅｔｈｙｌａｍｉｎｏｐｒｏｐｙｌ）  ｃａｒｂｏｄｉｉｍｉｄｅ（ＥＤＣ）と０．０５  Ｍ  Ｎ−ｈｙｄｒｏｘｙｓｕｃｃｉｎｉｍｉｄｅ（ＮＨＳ）の混合液を流速１０μＬ／分で７分間処理した。これによりＮＴＡセンサーチップ上のカルボキシル基を活性化（活性中間体を形成する）した。この際、ＮＴＡセンサーチップの固定化担体であるカルボキシルメチルデキストランのカルボキシル基およびＮＴＡのカルボキシル基の一部が活性中間体となると考えられるが、後のＮｉ２＋とＮ末端ＨｉｓタグＦＫＢＰとの錯体形成には一部の未反応のまま残ったＮＴＡで十分と考えられる。
【００７２】
次に、システムに対して、０．５Ｍ  ＮｉＣｌ２を流速２０μＬ／分で１分間インジェクションした。これによりＮＴＡセンサーチップ上のＮＴＡにＮｉ２＋をトラップさせた。次に、システムに対して、Ｎ末端Ｈｉｓ−タグＦＫＢＰを含む溶液を流速１０μＬ／分で２０分間程度インジェクションした。これにより、Ｎ末端Ｈｉｓ−タグＦＫＢＰは、Ｎｉ２＋を結合させた状態のＮＴＡと錯体を形成することでＮＴＡセンサーチップ上にコンセントレーション（濃縮）されるとともに、活性中間体と共有結合を効率的に形成し、ＮＴＡセンサーチップ上に強固に固定化された。なお、Ｎ末端Ｈｉｓ−タグＦＫＢＰを含む溶液は、Ｎ末端Ｈｉｓ−タグＦＫＢＰを発現させた大腸菌を超音波処理等で破砕した溶菌液をランニング緩衝液で１００倍に希釈して調製した。
【００７３】
次に、システムに対して、１Ｍエタノールアミンを流速１０μＬ／分、７分間インジェクションした。これにより、反応せずに残った活性中間体とエタノールアミンとを反応させて固定化反応を終了した。次に、システムに対して、５０ｍＭ程度の水酸化ナトリウムを２０μＬ／分、１分間インジェクションした。これにより、ＮＴＡセンサーチップを洗浄し、また、共有結合されずにＮＴＡセンサーチップ上に残った微量のＮ末端Ｈｉｓ−タグＦＫＢＰ等を除去した。
【００７４】
以上の操作におけるセンサーグラムを図９に示す。図９から、Ｎ末端ＨｉｓタグＦＫＢＰは、ＮＴＡセンターチップのＮＴＡに対してＮｉ２＋との親和性で一旦１２，６６４ＲＵ結合した。その後、エタノールアミン処理、及び、水酸化ナトリウムによる洗浄処理を経た後であっても、Ｎ末端ＨｉｓタグＦＫＢＰは、乖離することなく、６７３２．２ＲＵがセンサーチップに固定化された。これは、Ｎ末端ＨｉｓタグＦＫＢＰがＮＴＡに対してＮｉ２＋との親和性で結合するときに、ほぼ同時に、アミンカップリング（共有結合）を形成したためである。
【００７５】
実施例１の結果と比較例４の結果とを比較すると、ＮＴＡセンサーチップ上のカルボキシル基を活性化した後、Ｈｉｓ−タグを介してＦＫＢＰをＮＴＡセンサーチップ上に結合させるとともに、共有結合を介してＦＫＢＰをＮＴＡセンサーチップ上に固定化することで、ＦＫＢＰをより強固に固定化できることが明らかとなった。
【００７６】
［実施例２］
実施例２では、タンパク質としてＮ末端ＨｉｓタグＣＯＸ−２を用いた以外は、実施例１と同様にしてタンパク質を固定化する方法を説明する。なお、Ｎ末端ＨｉｓタグＣＯＸ−２を含む溶液は、上記ランニング緩衝液で１００ｎＭ程度に希釈することで調製した。
【００７７】
本例では、Ｎ末端Ｈｉｓ−タグＣＯＸ−２を固定化する際に、Ｎ末端Ｈｉｓ−タグＣＯＸ−２を含む溶液を流速１０μＬ／分で３０分間程度インジェクションした。その後は、実施例１と同様に、エタノールアミンを反応させて固定化反応を終了し、５０ｍＭ程度の水酸化ナトリウムを用いて洗浄した。
【００７８】
以上の操作におけるセンサーグラムを図１０に示す。図１０から、Ｎ末端ＨｉｓタグＣＯＸ−２は９，２１９ＲＵ安定に固定化された。また、本例においても、エタノールアミン処理、及び、水酸化ナトリウムによる洗浄処理を経た後であっても、Ｎ末端ＨｉｓタグＣＯＸ−２を、乖離することなくＮＴＡセンサーチップ上に強固に固定化することができた。
【００７９】
［実施例３］
実施例３では、本発明を適用して、センサーチップに対して、共有結合（アミンカップリング）及びタグ部を介してタンパク質を固定化する方法を説明する。本例では、タンパク質として、Ｎ末端ＨｉｓタグＣｙｃｌｏｐｈｉｌｉｎ  Ａを用い、センサーチップとして抗Ｈｉｓタグ抗体を固定したＣＭ５センサーチップ（ビアコア社製）を用い、測定装置としてＢｉａｃｏｒｅ３０００（ビアコア社製）を用いた。
【００８０】
まず、抗Ｈｉｓタグ抗体を固定化したＣＭ５センサーチップ（以下、抗Ｈｉｓタグ抗体センサーチップと示す）をＢｉａｃｏｒｅ３０００にセットし、ランニング緩衝液（ＨＢＳ−ＥＰ：ビアコア社製品）でシステムを満たした。なお、抗Ｈｉｓタグ抗体のＣＭ５センサーチップへの固定化は、通常のアミンカップリング法で容易に行うことができ、本実施例では約１０，０００ＲＵの抗５ＸＨｉｓタグ抗体（ＱＩＡＧＥＮ社製品）が固定化された。
【００８１】
ついで、抗Ｈｉｓタグ抗体センサーチップ上のカルボキシル基を０．２  Ｍ  Ｎ−ｅｔｈｙｌ−Ｎ’−（ｄｉｍｅｔｈｙｌａｍｉｎｏｐｒｏｐｙｌ）  ｃａｒｂｏｄｉｉｍｉｄｅ（ＥＤＣ）と０．０５  Ｍ  Ｎ−ｈｙｄｒｏｘｙｓｕｃｃｉｎｉｍｉｄｅ（ＮＨＳ）の混合液で流速１０ｕＬ／分、４分間処理することで活性化（活性中間体を形成する）した。この際、カルボキシルメチルデキストランのカルボキシル基および抗体のカルボキシル基の一部が活性中間体となると考えられるが、後の抗体とＨｉｓタグタンパク質との結合には一部の未反応のまま残った抗体で十分と考えられる。
【００８２】
次に、システムに対して、Ｎ末端Ｈｉｓ−タグＣｙｃｌｏｐｈｉｌｉｎ  Ａ希釈液を流速１０ｕＬ／分で３０分間程度インジェクションした。これにより、Ｈｉｓタグを有するタンパク質は、抗Ｈｉｓ抗体と親和性結合することでセンサーチップ上にコンセントレーション（濃縮）され、効率的に活性中間体と共有結合を形成し強固にセンサーチップ上に固定化される。なお、Ｎ末端Ｈｉｓ−タグＣｙｃｌｏｐｈｉｌｉｎ  Ａを含む溶液は、Ｎ末端Ｈｉｓ−タグＣｙｃｌｏｐｈｉｌｉｎ  Ａを発現させた大腸菌を超音波処理等で破砕した溶菌液をランニング緩衝液で希釈して用いた。
【００８３】
次に、システムに対して、１Ｍエタノールアミンを流速１０ｕＬ／分、７分間インジェクションして反応せずに残った活性中間体とエタノールアミンを反応させて固定化反応を終了した。次に、システムに対して、ｐＨ１．５のグリシン−塩酸緩衝液を、１分間処理した。これにより、ＣＭ５センサーチップを洗浄し、また、共有結合されずにＣＭ５センサーチップ上に残った微量のＮ末端Ｈｉｓ−タグＣｙｃｌｏｐｈｉｌｉｎ  Ａ等を除去した。
【００８４】
以上の操作におけるセンサーグラムを図１１に示す。図１１から、Ｎ末端Ｈｉｓ−タグＣｙｃｌｏｐｈｉｌｉｎ  Ａは抗体との親和性で一旦１，６４４ＲＵ結合し、その後、エタノールアミン処理、及び、グリシン−塩酸緩衝液による洗浄処理を経た後であっても、Ｎ末端Ｈｉｓ−タグＣｙｃｌｏｐｈｉｌｉｎ  Ａは、乖離することなく、１，０４９ＲＵがセンサーチップに固定化された。これは、Ｎ末端Ｈｉｓ−タグＣｙｃｌｏｐｈｉｌｉｎ  Ａが抗Ｈｉｓ抗体に対して結合するときに、ほぼ同時に、アミンカップリング（共有結合）を形成したためである。
【００８５】
［実施例４］
実施例４では、タンパク質としてＮ末端ＨｉｓタグＡｋｔ１／ＰＫＢα（Ｕｐｓｔａｔｅ  Ｂｉｏｔｅｃｈｎｏｌｏｇｙ社製、商品名１４−３４１）を用いた以外は、実施例１と同様にしてタンパク質を固定化する方法を説明する。Ａｋｔ１／ＰＫＢαは、セリン／スレオニン・プロテインカイネースであることが知られている。なお、本例においてＡｋｔ１／ＰＫＢαは、市販品保存溶液から脱塩カラムにてイミダゾールを除去した後に使用した。
【００８６】
本例では、実施例１と同様に、Ｎ末端Ｈｉｓ−タグＡｋｔ１／ＰＫＢαを固定化し、エタノールアミンを反応させて固定化反応を終了し、５０ｍＭ程度の水酸化ナトリウムを用いて洗浄した。以上の操作におけるセンサーグラムを図１２に示す。図１２から、Ｎ末端ＨｉｓタグＡｋｔ１／ＰＫＢαは５０１８．７ＲＵ安定に固定化された。また、本例においても、エタノールアミン処理、及び、水酸化ナトリウムによる洗浄処理を経た後であっても、Ｎ末端ＨｉｓタグＡｋｔ１／ＰＫＢαを、乖離することなくＮＴＡセンサーチップ上に強固に固定化することができた。
【００８７】
［実施例５］
実施例５では、タンパク質としてＮ末端ＨｉｓタグＭＳＫ１（Ｕｐｓｔａｔｅ  Ｂｉｏｔｅｃｈｎｏｌｏｇｙ社製、商品名１４−４３８）を用いた以外は、実施例１と同様にしてタンパク質を固定化する方法を説明する。ＭＳＫ１は、セリン／スレオニン・プロテインカイネースであることが知られている。
【００８８】
本例では、実施例１と同様に、Ｎ末端ＨｉｓタグＭＳＫ１を固定化し、エタノールアミンを反応させて固定化反応を終了し、５０ｍＭ程度の水酸化ナトリウムを用いて洗浄した。以上の操作におけるセンサーグラムを図１３に示す。図１３から、Ｎ末端ＨｉｓタグＭＳＫ１は６２３２．３ＲＵ安定に固定化された。また、本例においても、エタノールアミン処理、及び、水酸化ナトリウムによる洗浄処理を経た後であっても、Ｎ末端ＨｉｓタグＭＳＫ１を、乖離することなくＮＴＡセンサーチップ上に強固に固定化することができた。
【００８９】
［実施例６］
実施例６では、タンパク質としてＮ末端ＨｉｓタグＰＫＡ（Ｕｐｓｔａｔｅ  Ｂｉｏｔｅｃｈｎｏｌｏｇｙ社製、商品名１４−４４０）を用いた以外は、実施例１と同様にしてタンパク質を固定化する方法を説明する。ＰＫＡは、セリン／スレオニン・プロテインカイネースであることが知られている。
【００９０】
本例では、実施例１と同様に、Ｎ末端ＨｉｓタグＰＫＡを固定化し、エタノールアミンを反応させて固定化反応を終了し、５０ｍＭ程度の水酸化ナトリウムを用いて洗浄した。以上の操作におけるセンサーグラムを図１４に示す。図１４から、Ｎ末端ＨｉｓタグＰＫＡは４，１３４．５ＲＵ安定に固定化された。また、本例においても、エタノールアミン処理、及び、水酸化ナトリウムによる洗浄処理を経た後であっても、Ｎ末端ＨｉｓタグＰＫＡを、乖離することなくＮＴＡセンサーチップ上に強固に固定化することができた。
【００９１】
［実施例７］
実施例７では、タンパク質としてＮ末端ＨｉｓタグＰＲＡＫ（Ｕｐｓｔａｔｅ  Ｂｉｏｔｅｃｈｎｏｌｏｇｙ社製、商品名１４−３３４）を用いた以外は、実施例１と同様にしてタンパク質を固定化する方法を説明する。ＰＲＡＫは、セリン／スレオニン・プロテインカイネースであることが知られている。
【００９２】
本例では、実施例１と同様に、Ｎ末端ＨｉｓタグＰＲＡＫを固定化し、エタノールアミンを反応させて固定化反応を終了し、５０ｍＭ程度の水酸化ナトリウムを用いて洗浄した。以上の操作におけるセンサーグラムを図１５に示す。図１５から、Ｎ末端ＨｉｓタグＰＲＡＫは５，８６９．６ＲＵ安定に固定化された。また、本例においても、エタノールアミン処理、及び、水酸化ナトリウムによる洗浄処理を経た後であっても、Ｎ末端ＨｉｓタグＰＲＡＫを、乖離することなくＮＴＡセンサーチップ上に強固に固定化することができた。
【００９３】
［実施例８］
実施例８では、タンパク質としてＮ末端ＨｉｓタグＲＯＫα／ＲＯＣＫ−ＩＩ（Ｕｐｓｔａｔｅ  Ｂｉｏｔｅｃｈｎｏｌｏｇｙ社製、商品名１４−３３８）を用いた以外は、実施例１と同様にしてタンパク質を固定化する方法を説明する。ＲＯＫα／ＲＯＣＫ−ＩＩは、セリン／スレオニン・プロテインカイネースであることが知られている。
【００９４】
本例では、実施例１と同様に、Ｎ末端ＨｉｓタグＲＯＫα／ＲＯＣＫ−ＩＩを固定化し、エタノールアミンを反応させて固定化反応を終了し、５０ｍＭ程度の水酸化ナトリウムを用いて洗浄した。以上の操作におけるセンサーグラムを図１６に示す。図１６から、Ｎ末端ＨｉｓタグＲＯＫα／ＲＯＣＫ−ＩＩは４７７５．５ＲＵ安定に固定化された。また、本例においても、エタノールアミン処理、及び、水酸化ナトリウムによる洗浄処理を経た後であっても、Ｎ末端ＨｉｓタグＲＯＫα／ＲＯＣＫ−ＩＩを、乖離することなくＮＴＡセンサーチップ上に強固に固定化することができた。
【００９５】
［実施例９］
実施例９では、実施例１で作製したＮＴＡセンサーチップに対して低分子化合物を作用させたときのＮ末端Ｈｉｓ−タグＦＫＢＰと化合物との相互作用を解析した。低分子化合物としては、ＦＫＢＰに結合することが知られているＦＫ５０６を用いた。
【００９６】
操作は、先ず、実施例１のＮＴＡセンサーチップをセットしたＢｉａｃｏｒｅ３０００のシステムに、ランニング緩衝液（０．００５％Ｐ２０、５％ＤＭＳＯ、ＰＢＳ  ｐＨ７．４）を満たす。この状態で、ＦＫ５０６を５ｘ１０−１０Ｍから徐々に濃度を上昇させながらインジェクション（流速５０μＬ／分で１分間）を繰り返した。なお、各濃度でのインジェクション後、１０ｍＭ  ｇｌｙｃｉｎｅ−ＨＣｌ  ｐＨ１．５を３０秒間インジェクションしてＦＫ５０６を解離させ再生させた。
【００９７】
各濃度でＦＫ５０６をインジェクションした際のセンサーグラムを重ね合わせた結果を図１７に示す。図１７においては、各濃度におけるインジェクション開始時（０時）のレスポンスを０として重ね合わせた。
【００９８】
低濃度のＦＫ５０６から連続して順次高濃度のＦＫ５０６をインジェクションしたところ、５ｘ１０−８Ｍ以上の濃度で、ＮＴＡセンサーチップに固定化されたＮ末端Ｈｉｓ−タグＦＫＢＰとＦＫ５０６との結合が見られた。また、レスポンスが１０ＲＵ以上だった１ｘ１０−５  Ｍと５ｘ１０−６  Ｍの結果を選び、結合定数の算出を行ったところ、Ｎ末端Ｈｉｓ−タグＦＫＢＰとＦＫ５０６の結合定数は３ｘ１０−９Ｍであり、文献値（０．４ｎＭ）よりはやや高い値となったが、測定温度の影響等を考えると特異的結合が検出できたものと考えられた。
【００９９】
［実施例１０］
実施例１０では、実施例２で作製したＮＴＡセンサーチップに対して低分子化合物を作用させたときのＮ末端ＨｉｓタグＣＯＸ−２と化合物との相互作用を解析した。低分子化合物としては、ＣＯＸ−２に結合することが知られているＮＳ−３９８を用いた。
【０１００】
操作は、先ず、実施例２のＮＴＡセンサーチップをセットしたＢｉａｃｏｒｅ３０００のシステムに、ランニング緩衝液（０．００５％Ｐ２０、５％ＤＭＳＯ、ＰＢＳ  ｐＨ７．４）を満たす。この状態で、ＮＳ−３９８を５ｘ１０−８Ｍから徐々に濃度を上昇させながらインジェクション（流速５０μＬ／分で１分間）を繰り返した。なお、各濃度でのインジェクション後、１０ｍＭ  ｇｌｙｃｉｎｅ−ＨＣｌ  ｐＨ２．０を流速５０μＬ／分で３０秒間インジェクションしてＮＳ−３９８を解離させ再生させた。なお、ＮＳ−３９８とＣＯＸ−２の結合は再生操作をしなくともＮＳ−３９８のインジェクション終了後速やかに解離することから再生操作は比較的温和な条件とした。
【０１０１】
各濃度でＮＳ−３９８をインジェクションした際のセンサーグラムを重ね合わせた結果を図１８に示す。図１８においては、各濃度におけるインジェクション開始時（０時）のレスポンスを０として重ね合わせた。
【０１０２】
低濃度のＮＳ−３９８から連続して順次高濃度のＮＳ−３９８をインジェクションしたところ、５ｘ１０−６  Ｍ以上の濃度で、ＮＴＡセンサーチップに固定化されたＮ末端Ｈｉｓ−タグＣＯＸ−２とＮＳ−３９８との結合が見られた。また、レスポンスが高い５ｘ１０−５  Ｍ、１ｘ１０−６  Ｍ、及び、５ｘ１０−６  Ｍの結果を選び、結合定数の算出を行ったところ、Ｎ末端Ｈｉｓ−タグＣＯＸ−２とＮＳ−３９８の結合定数はＫｄ＝５ｘ１０−４  Ｍであった。文献ではＮＳ−３９８のＣＯＸ−２に対するＫｉは１１．５０μＭであり、今回の結果はこれに対応するものと考えられた。
【０１０３】
［実施例１１］
実施例１１では、実施例３で作製したＣＭ５センサーチップに対して低分子化合物を作用させたときのＮ末端Ｈｉｓ−タグＣｙｃｌｏｐｈｉｌｉｎ  Ａと化合物との相互作用を解析した。低分子化合物としては、Ｃｙｃｌｏｐｈｉｌｉｎ  Ａに結合することが知られているＣｙｃｌｏｓｐｏｒｉｎ  Ａを用いた。
【０１０４】
操作は、先ず、実施例３のＣＭ５センサーチップをセットしたＢｉａｃｏｒｅ３０００のシステムに、ランニング緩衝液（５％ＤＭＳＯ、ＨＢＳ−ＥＰ緩衝液）を満たした。この状態で、Ｃｙｃｌｏｓｐｏｒｉｎ  Ａを５ｘ１０−８Ｍから徐々に濃度を上昇させながらインジェクション（流速５０μＬ／分で１分間）を繰り返した。なお、Ｃｙｃｌｏｐｈｉｌｉｎ  ＡとＣｙｃｌｏｓｐｏｒｉｎ  Ａの結合は、再生操作をしなくともＣｙｃｌｏｓｐｏｒｉｎ  Ａのインジェクション終了後速やかに解離することから、再生操作は行わなかった。
【０１０５】
各濃度でＣｙｃｌｏｓｐｏｒｉｎ  Ａをインジェクションした際のセンサーグラムを重ね合わせた結果を図１９に示す。図１９においては、各濃度におけるインジェクション開始時（０時）のレスポンスを０として重ね合わせた。
【０１０６】
低濃度のＣｙｃｌｏｓｐｏｒｉｎ  Ａから連続して順次高濃度のＣｙｃｌｏｓｐｏｒｉｎ  Ａをインジェクションしたところ、１ｘ１０−８  Ｍ以上の濃度で、ＣＭ５センサーチップに固定化されたＮ末端Ｈｉｓ−タグＣｙｃｌｏｐｈｉｌｉｎ  ＡとＣｙｃｌｏｓｐｏｒｉｎ  Ａとの結合が見られた。また、１ｘ１０−５Ｍまでの結果を選び、結合定数の算出を行ったところ、Ｎ末端Ｈｉｓ−タグＣｙｃｌｏｐｈｉｌｉｎ  ＡとＣｙｃｌｏｓｐｏｒｉｎ  Ａの結合定数はＫｄ＝８．８ｘ１０−８  Ｍであり、文献値とほぼ一致した。
【０１０７】
【発明の効果】
以上、詳細に説明したように、本発明に係るタンパク質の固定化方法は、固定化対象のタンパク質と共有結合可能な反応基を活性化させ、その後、固定化対象のタンパク質が有するタグ部と当該固定化担体とを相互作用させ、固定化担体の反応基と固定化対象のタンパク質とを共有結合させる。本発明に係るタンパク質の固定化方法によれば、タグ部を有する全てのタンパク質を固定化することが可能であり、且つ、固定化対象のタンパク質を固定化担体に対して長期間に亘って強固に固定化することができる。
【図面の簡単な説明】
【図１】本発明に係るタンパク質の固定化方法を適用して作製したセンサーチップの要部断面図である。
【図２】ＳＰＲの原理を利用した解析装置の構成を説明するための概略構成図である。
【図３】各種ｐＨにおけるタンパク質溶液を用いた場合の時間とレスポンスとの関係を示す特性図である。
【図４】ＨＡＳの固定化操作におけるセンサーグラムを示す特性図である。
【図５】比較例３で行ったＮ末端Ｈｉｓ−タグＣＯＸ−２の固定化操作におけるセンサーグラムを示す特性図である。
【図６】比較例４で行ったＮ末端ＨｉｓタグＦＫＢＰの固定化操作におけるセンサーグラムを示す特性図である。
【図７】比較例５で行ったＮ末端Ｈｉｓ−タグＣＯＸ−２とＮＳ−３９８との相互作用を測定した結果を示す特性図である。
【図８】比較例６で行ったＮ末端Ｈｉｓ−タグＦＫＢＰとＦＫ５０６との結合を測定した結果を示す特性図である。
【図９】実施例１で行ったＮ末端ＨｉｓタグＦＫＢＰをＮＴＡセンサーチップに固定化する操作におけるセンサーグラムを示す特性図である。
【図１０】実施例２で行ったＮ末端ＨｉｓタグＣＯＸ−２をＮＴＡセンサーチップに固定化する操作におけるセンサーグラムを示す特性図である。
【図１１】実施例３で行ったＮ末端Ｈｉｓ−タグＣｙｃｌｏｐｈｉｌｉｎ  ＡをＣＭ５センサーチップに固定化する操作におけるセンサーグラムを示す特性図である。
【図１２】実施例４で行ったＮ末端ＨｉｓタグＡｋｔ１／ＰＫＢαをＮＴＡセンサーチップに固定化する操作におけるセンサーグラムを示す特性図である。
【図１３】実施例５で行ったＮ末端ＨｉｓタグＭＳＫ１をＮＴＡセンサーチップに固定化する操作におけるセンサーグラムを示す特性図である。
【図１４】実施例６で行ったＮ末端ＨｉｓタグＰＫＡをＮＴＡセンサーチップに固定化する操作におけるセンサーグラムを示す特性図である。
【図１５】実施例７で行ったＮ末端ＨｉｓタグＰＲＡＫをＮＴＡセンサーチップに固定化する操作におけるセンサーグラムを示す特性図である。
【図１６】実施例８で行ったＮ末端ＨｉｓタグＲＯＫα／ＲＯＣＫ−ＩＩをＮＴＡセンサーチップに固定化する操作におけるセンサーグラムを示す特性図である。
【図１７】実施例９で行ったＮ末端Ｈｉｓ−タグＦＫＢＰとＦＫ５０６との結合を測定した結果を示す特性図である。
【図１８】実施例１０で行ったＮ末端ＨｉｓタグＣＯＸ−２とＮＳ−３９８との結合を測定した結果を示す特性図である。
【図１９】実施例１１で行ったＮ末端Ｈｉｓ−タグＣｙｃｌｏｐｈｉｌｉｎ  ＡとＣｙｃｌｏｓｐｏｒｉｎ  Ａとの結合を測定した結果を示す特性図である。
【符号の説明】
１…基板、２…金属膜、３…固定化担体、４…プリズム、５…偏光、６…光源、７…反射光、８…検出部、９…フローセル
【図１】
2004170195.tif 000002
【図２】
2004170195.tif 000003
【図３】
2004170195.tif 000004
【図４】
2004170195.tif 000005
【図５】
2004170195.tif 000006
【図６】
2004170195.tif 000007
【図７】
2004170195.tif 000008
【図８】
2004170195.tif 000009
【図９】
2004170195.tif 000010
【図１０】
2004170195.tif 000011
【図１１】
2004170195.tif 000012
【図１２】
2004170195.tif 000013
【図１３】
2004170195.tif 000014
【図１４】
2004170195.tif 000015
【図１５】
2004170195.tif 000016
【図１６】
2004170195.tif 000017
【図１７】
2004170195.tif 000018
【図１８】
2004170195.tif 000019
【図１９】
2004170195.tif 000020